(57)【要約】      （修正有）【課題】清掃効果の高い清掃具を提供する。【解決手段】清掃シート１００と、これを保持する保持具からなる清掃具に於いて、清掃シート１００は、刷毛部と、基部１２０と、保持具２００の保持部が挿入される挿入部１３０とを有し、刷毛部は複数の短冊片１５０を有し、短冊片１５０は、第１の短冊片１５１と、第１の短冊片１５１よりも高い剛性を有する第２の短冊片１５２とを有し、第２の短冊片１５２は、前記清掃対象の塵芥を掻き出し可能な掻き出し部１５２Ａを有する。【選択図】図５
2014150975.tif 000002
【特許請求の範囲】
【請求項１】
清掃シートと、前記清掃シートを保持する保持具とを有する清掃具において、
前記清掃シートは、当該清掃シートに前記保持具を挿入する方向によって規定される清掃シート長手方向と、当該清掃シート長手方向と交差する方向によって規定される清掃シート長手交差方向の双方に延在するように構成され、
前記保持具は、前記清掃シートを保持するための保持部と、前記保持部に連結されてユーザに把持される把持部とを有し、
前記清掃シートは、清掃対象を清掃可能に構成された刷毛部と、前記刷毛部が接続される基部と、当該基部に形成されて、前記保持部が挿入される挿入部とを有し、
前記刷毛部は、短冊状のシートにより形成される複数の短冊片を有し、
当該短冊片は、第１の短冊片と、当該第１の短冊片よりも高い剛性を有する第２の短冊片とを有し、
当該第２の短冊片は、前記清掃対象の塵芥を掻き出し可能な掻き出し部を有することを特徴とする清掃具。
【請求項２】
請求項１に記載された清掃具において、
前記第２の短冊片は、高剛性領域を有することを特徴とする清掃具。
【請求項３】
請求項２に記載された清掃具において、
前記短冊片は、当該短冊片が延びる方向によって規定される短冊片長手方向と、当該短冊片長手方向と交差する方向によって規定される短冊片長手交差方向の双方に延在するように構成され、
前記高剛性領域は、前記短冊片長手方向に延びるように形成されていることを特徴とする清掃具。
【請求項４】
請求項１〜３のいずれか１項に記載された清掃具において、
前記第２の短冊片は、前記清掃シート長手方向上の端部領域に設けられていることを特徴とする清掃具。
【請求項５】
請求項１〜３のいずれか１項に記載された清掃具において、
前記前記第２の短冊片は、前記清掃シート長手方向上の中央領域に設けられていることを特徴とする清掃具。
【請求項６】
請求項１〜３のいずれか１項に記載された清掃具において、
前記第２の短冊片は、前記清掃シート長手交差方向上の端部領域に設けられていることを特徴とする清掃具。
【請求項７】
請求項１〜３のいずれか１項に記載された清掃具において、
前記第２の短冊片は、前記清掃シート長手交差方向上の中央領域に設けられていることを特徴とする清掃具。
【請求項８】
請求項１〜７のいずれか１項に記載された清掃具において、
前記第１の短冊片と前記第２の短冊片とは、交互に配置されていることを特徴とする清掃具。
【請求項９】
請求項１〜８のいずれか１項に記載された清掃具において、
前記基部は、第１のシート体により形成されていることを特徴とする清掃具。
【請求項１０】
請求項９に記載された清掃具において、
前記基部は、前記第１のシート体の端部に設けられた複数の切込み部を有し、
前記短冊片は、前記複数の切込み部同士の間に形成されることを特徴とする清掃具。
【請求項１１】
請求項９または１０のいずれか１項に記載された清掃具において、
前記第１のシート体と重ねられる第２のシート体を有し、
前記挿入部は、前記第１のシート体と、前記第２とシート体との間に形成されることを特徴とする清掃具。
【請求項１２】
請求項９または１０のいずれか１項に記載された清掃具において、
前記挿入部は、前記第１のシート体における所定の面同士を当接させ接合シート領域を形成するとともに、当該接合シート領域における前記所定の面同士を接合することにより形成されていることを特徴とする清掃具。
【請求項１３】
請求項９または１０のいずれか１項に記載された清掃具において、
前記第１のシート体に重ねられる第３のシート体と、当該第３のシート体に重ねられる第４のシート体とを有し、
前記挿入部は、前記第３のシート体と、前記第４とシート体との間に形成されることを特徴とする清掃具。
【請求項１４】
請求項９または１０のいずれか１項に記載された清掃具において、
前記第１のシート体に重ねられる第５のシート体を有し、
前記挿入部は、前記第５のシート体における所定の面同士を当接させ接合シート領域を形成するとともに、当該接合シート領域における前記所定の面同士を接合することにより形成されていることを特徴とする清掃具。
【請求項１５】
請求項１〜１４のいずれか１項に記載された清掃具において、
前記刷毛部は、前記基部の一方の側に設けられていることを特徴とする清掃具。
【請求項１６】
請求項１〜１４のいずれか１項に記載された清掃具において、
前記刷毛部は、前記基部の一方の側および他方の側に設けられていることを特徴とする清掃具。
【発明の詳細な説明】
【技術分野】
【０００１】
本発明は、清掃対象を清掃するための清掃具に関する。
【背景技術】
【０００２】
特開２００７−１３７５６６号公報には、把手挿入部と、把手挿入部の上下それぞれに繊維層と掻き出し用シートを設けた清掃用物品が記載されている。把手挿入部は、一対の把手装着用シートにより形成される。この清掃用物品は、把手に取り付けられて使用される。
この特開２００７−１３７５６６号に記載された清掃用物品の長手交差方向上の端部は、ジグザク状に形成されている。
【先行技術文献】
【特許文献】
【０００３】
【特許文献１】特開２００７−１３７５６６号公報
【発明の概要】
【発明が解決しようとする課題】
【０００４】
特開２００７−１３７５６６公報に記載された清掃用物品は、長手交差方向上の端部がジグザグ状に形成されていた。よって、清掃対象の塵芥を掻き出す機能を有していた。一方、繊維層の繊維が絡んだ場合は、掻き出し機能を十分に発揮することができなかった。
そこで、本発明は上記に鑑み、清掃効果の高い清掃具を提供することを目的とする。
【課題を解決するための手段】
【０００５】
上記課題を解決するため、本発明に係る清掃具の好ましい形態によれば、清掃シートと、前記清掃シートを保持する保持具とを有する清掃具において、前記清掃シートは、当該清掃シートに前記保持具を挿入する方向によって規定される清掃シート長手方向と、当該清掃シート長手方向と交差する方向によって規定される清掃シート長手交差方向の双方に延在するように構成され、前記保持具は、前記清掃シートを保持するための保持部と、前記保持部に連結されてユーザに把持される把持部とを有し、前記清掃シートは、清掃対象を清掃可能に構成された刷毛部と、前記刷毛部が接続される基部と、当該基部に形成されて、前記保持部が挿入される挿入部とを有し、前記刷毛部は、短冊状のシートにより形成される複数の短冊片を有し、当該短冊片は、第１の短冊片と、当該第１の短冊片よりも高い剛性を有する第２の短冊片とを有し、当該第２の短冊片は、前記清掃対象の塵芥を掻き出し可能な掻き出し部を有する。
【０００６】
本発明に係る清掃具の更なる形態によれば、前記第２の短冊片は、高剛性領域を有する。
【０００７】
本発明に係る清掃具の更なる形態によれば、前記短冊片は、当該短冊片が延びる方向によって規定される短冊片長手方向と、当該短冊片長手方向と交差する方向によって規定される短冊片長手交差方向の双方に延在するように構成され、前記高剛性領域は、前記短冊片長手方向に延びるように形成されている。
【０００８】
本発明に係る清掃具の更なる形態によれば、前記第２の短冊片は、前記清掃シート長手方向上の端部領域に設けられている。
【０００９】
本発明に係る清掃具の更なる形態によれば、前記第２の短冊片は、前記清掃シート長手方向上の中央領域に設けられている。
【００１０】
本発明に係る清掃具の更なる形態によれば、前記第２の短冊片は、前記清掃シート長手交差方向上の端部領域に設けられている。
【００１１】
本発明に係る清掃具の更なる形態によれば、前記第２の短冊片は、前記清掃シート長手交差方向上の中央領域に設けられている。
【００１２】
本発明に係る清掃具の更なる形態によれば、前記第１の短冊片と前記第２の短冊片とは、交互に配置されている。
【００１３】
本発明に係る清掃具の更なる形態によれば、前記基部は、第１のシート体により形成されている。
【００１４】
本発明に係る清掃具の更なる形態によれば、前記基部は、前記第１のシート体の端部に設けられた複数の切込み部を有し、前記短冊片は、前記複数の切込み部同士の間に形成される。
【００１５】
本発明に係る清掃具の更なる形態によれば、前記第１のシート体と重ねられる第２のシート体を有し、前記挿入部は、前記第１のシート体と、前記第２とシート体との間に形成される。
【００１６】
本発明に係る清掃具の更なる形態によれば、前記挿入部は、前記第１のシート体における所定の面同士を当接させ接合シート領域を形成するとともに、当該接合シート領域における前記所定の面同士を接合することにより形成されている。
【００１７】
本発明に係る清掃具の更なる形態によれば、前記第１のシート体に重ねられる第３のシート体と、当該第３のシート体に重ねられる第４のシート体とを有し、前記挿入部は、前記第３のシート体と、前記第４とシート体との間に形成される。
【００１８】
本発明に係る清掃具の更なる形態によれば、前記第１のシート体に重ねられる第５のシート体を有し、前記挿入部は、前記第５のシート体における所定の面同士を当接させ接合シート領域を形成するとともに、当該接合シート領域における前記所定の面同士を接合することにより形成されている。
【００１９】
本発明に係る清掃具の更なる形態によれば、前記刷毛部は、前記基部の一方の側に設けられている。
【００２０】
本発明に係る清掃具の更なる形態によれば、前記刷毛部は、前記基部の一方の側および他方の側に設けられている。
【発明の効果】
【００２１】
本発明によれば、第２の短冊片が有する掻き出し部により、清掃効果の高い清掃具を提供することができる。
【図面の簡単な説明】
【００２２】
【図１】本発明の実施形態に係る清掃用具の全体構成を示す斜視図である。
【図２】清掃体ホルダの平面図である。
【図３】清掃体の各構成要素を示す分解斜視図である。
【図４】刷毛部側から見た清掃体の平面図である。
【図５】第２のシート体側から見た清掃体の平面図である。
【図６】短冊片の構成を示す説明図である。
【図７】短冊片の構成を示す説明図である。
【図８】図５のＩＸ−ＩＸ線における断面図である。
【図９】清掃体ホルダを清掃体に係合させた状態を示す図である。
【図１０】図９のＩＩＸ−ＩＩＸ線における断面図である。
【図１１】清掃用具の使用状態を示す説明図である。
【図１２】本発明の第１の変形例に係る清掃体の説明図である。
【図１３】本発明の第２の変形例に係る清掃体の説明図である。
【図１４】本発明の第３の変形例に係る清掃体の説明図である。
【図１５】本発明の第４の変形例に係る清掃体の説明図である。
【図１６】本発明の第５の変形例に係る清掃体の説明図である。
【図１７】本発明の第６の変形例に係る清掃体の説明図である。
【図１８】本発明の第７の変形例に係る清掃体の説明図である。
【図１９】本発明の第８の変形例に係る清掃体の平面図である。
【図２０】本発明の第９の変形例に係る清掃体の平面図である。
【図２１】本発明の第１０の変形例に係る清掃体の平面図である。
【図２２】本発明の第１１の変形例に係る清掃体の平面図である。
【図２３】本発明の第１２の変形例に係る清掃体の平面図である。
【発明を実施するための形態】
【００２３】
（清掃用具の概略）
以下、本発明の実施形態について、図１〜図１０を参照しつつ詳細に説明する。まず、本発明における「清掃具」の一実施の形態である清掃用具Ａの構成につき説明する。この清掃用具Ａを用いて清掃される清掃対象としては、一戸建て、マンション、ビル、工場、車両等の室内、室外、屋外における被清掃面（床面、壁面、窓、天井面、外壁面、家具面、衣類、カーテン、寝具、照明、家電品等）や、人体の各構成部位における被清掃面等が挙げられる。これら各種の被清掃面は、平面として構成されてもよいし、或いは曲面、凹凸面、段差面として構成されてもよい。
【００２４】
図１に示すように、清掃用具Ａは、清掃体ホルダ２００と清掃体１００で構成されている。清掃体ホルダ２００は、清掃体１００に着脱可能であり、清掃体１００を保持するように構成されている。この清掃用具Ａが本発明における「清掃具」の一例である。この清掃体ホルダ２００が、本発明における「保持具」の一例である。この、清掃体１００が、本発明における「清掃シート」の一例である。
【００２５】
清掃体１００は、清掃体長手方向Ｙと、清掃体長手方向Ｙと交差する方向によって規定される清掃体長手交差方向Ｘの双方に延在するように構成される。この清掃体長手方向Ｙは、清掃体１００に清掃体ホルダ２００を挿入する方向と平行な方向により規定される。この清掃体１００に清掃体ホルダ２００を挿入する方向は、挿入方向Ｙ１とされる。この挿入方向Ｙ１と反対向きの方向は引抜方向Ｙ２とされる。
清掃体長手方向Ｙおよび清掃体長手交差方向Ｘのそれぞれと交差する方向は、厚み方向Ｚとされる。なお、本発明に係る実施形態の説明において、特別の記載がない限りは、「交差」とは「直交」を意味するものである。
この清掃体長手方向Ｙが、本発明における「清掃シート長手方向」の一例である。この、清掃体長手交差方向Ｘが、本発明における「清掃シート長手交差方向」の一例である。
なお、清掃体１００は、清掃体長手方向Ｙ上の端部１００Ｂと、清掃体長手交差方向Ｘ上の端部１００Ａを有する。端部１００Ｂは、その中央部分を含む領域として中央領域１００ＢＣを有する。端部１００Ａは、その中央部分を含む領域として中央領域１００ＡＣを有する。
【００２６】
清掃体１００において、長手交差方向Ｘの中心となる点を長手交差方向中心点ＸＣＰと規定する。なお、長手交差方向中心点ＸＣＰを形成するための長手交差方向Ｘは、清掃体１００上における任意の箇所の長手交差方向Ｘを適宜採択し得るものである。
そして、長手交差方向中心点ＸＣＰを通過する、長手方向Ｙと平行な直線を長手方向中心線ＹＣＬと規定する。
【００２７】
長手交差方向中心点ＸＣＰから清掃体１００が存在しない領域へ向く方向を外側方向１００Ｄ１と規定する。さらに、清掃体１００が存在しない領域から長手交差方向中心点ＸＣＰへ向く方向を内側方向１００Ｄ２と規定する。
【００２８】
（清掃体ホルダの構成）
図２に示すように、清掃体ホルダ２００は、ハンドル部２１０および清掃体保持部２２０を主体として構成されている。ハンドル部２１０は、長尺状に形成されており、清掃時にユーザに保持される部材である。ハンドル部２１０は、ハンドル２１１とハンドル接合部２１２を有している。ハンドル接合部２１２は、清掃体保持部２２０の連接部２３０に接合されている。そして、ハンドル２１１は、ハンドル接合部２１２から延在する長尺状に形成されている。このハンドル部２１０が、本発明における「把持部」の一例である。この清掃体保持部２２０が、本発明における「保持部」の一例である。
【００２９】
清掃体保持部２２０は、樹脂材料にて成型されており、清掃体１００を保持するための部材である。清掃体保持部２２０は、長尺状に形成された２つの保持部材２２１、凸部２６０および押え板２７０等を主体として構成されている。具体的には、清掃体保持部２２０は、ポリプロピレン（ＰＰ）が使用されている。なお、清掃体保持部２２０は可撓性を有する樹脂材料を適宜選択することができる。例えば、ポリエチレン（ＰＥ）、ポリエチレンテレフタラート（ＰＥＴ）、アクリロニトリル−ブタジエン−スチレン樹脂（ＡＢＳ）、ポリエステル系の熱可塑性エラストマーを使用できる。
【００３０】
保持部材２２１は、連接部２３０からハンドル２１１が延在する方向と反対の方向に向かって延在して形成されている。すなわち、保持部材２２１は、連接部２３０と、先端部２４０と、連接部２３０から先端部２４０に向かって延在した中間部２５０とを有する。２つの保持部材２２１の先端部２４０はそれぞれ自由端となっている。
【００３１】
凸部２６０は、中間部２５０における外側方向１００Ｄ１に設けられる。凸部２６０は、連接部２３０側に設けられた第１の凸部２６１と、先端部２４０側に設けられた第２の凸部２６２とからなる。
【００３２】
押え板２７０は、連接部２３０から突出して形成されている。押え板２７０は、一対の保持部材２２１の間に、保持部材２２１と平行に延在するように形成されている。押え板２７０は、下方に向けて凸形状となるように湾曲して形成される板状部材として構成され、更に下面に係止突部（図示省略）を備えている。
【００３３】
（清掃体の構成）
次に図３〜図５を参照しつつ、清掃体１００について説明する。清掃体１００は、清掃対象の塵芥等の汚れを捕集する、汚れ捕集機能を有するシート状の清掃体である。図４、図５に示すように、清掃体１００は、平面視で長方形状に形成されている。
この清掃体１００は、一回使用を目安とした使い捨てタイプのものや、清掃対象の被清掃面から除去したごみや埃を保持しつつ複数回の使用を目安として交換を行う使い捨てタイプのものであってもよいし、或いは洗濯などを行ったうえで繰り返し使用することが可能なタイプのものであってもよい。
【００３４】
清掃体１００において、基部１２０は第１のシート体１２１により形成されている。基部１２０は、長手交差方向Ｘ上の端部１２０Ａと、長手方向Ｙ上の端部１２０Ｂと、一方の面１２０Ｃと、他方の面１２０Ｄとを有する。この基部１２０、第１のシート体１２１、一方の面１２０Ｃ、他方の面１２０Ｄが、本発明における「基部」、「第１のシート体」、「一方の側」、「他方の側」のそれぞれ一例である。
【００３５】
基部１２０の一方の面１２０Ｃには、繊維集合体１１０ＧＦが配置される。基部１２０の他方の面１２０Ｄには、第２のシート体１２２が配置される。
これらの積層された基部１２０、繊維集合体１１０ＧＦ、第２のシート体１２２は、いずれも清掃体１００の長手方向Ｙに長尺状に延在している。
繊維集合体１１０ＧＦは、後述する短冊片１５０とともに、汚れ捕集機能を有する刷毛部１１０を形成する。この繊維集合体１１０ＧＦが、本発明に係る「繊維集合体」の一例である。この刷毛部１１０が本発明における「刷毛部」の一例である。
【００３６】
繊維集合体１１０ＧＦは、繊維１１０ＳＦの集合体により形成される。この発明において、繊維１１０ＳＦとは、典型的な繊維による単一の繊維構造体や、典型的な繊維が長さ方向および／または径方向にそろった繊維構造体（撚糸、紡績糸、複数の長繊維が部分的に接続された糸材など）、ないし当該繊維構造体の集合体とされる。ここで「典型的な繊維」とは、糸、織物などの構成単位であり、太さに比して十分な長さを持つ、細くてたわみやすい形態のものである。典型的には長い連続状の繊維が長繊維（フィラメント）とされ、短い繊維が短繊維（ステープル）とされる。
繊維１１０ＳＦは熱可塑性繊維を一部に含み、それぞれの繊維１１０ＳＦが融着（「溶着」ともいう）可能とされている。
繊維集合体１１０ＧＦは、所定の繊維配向方向１１０Ｄにて並列に並べられるとともに、厚み方向Ｚに積層された複数の繊維１１０ＳＦにより形成される。本発明の実施形態において、繊維配向方向１１０Ｄは、長手交差方向Ｘと概ね合致する。一方、繊維１１０ＳＦは柔軟な素材であるため、容易に屈曲、変形される。よって、繊維１１０ＳＦの繊維配向方向１１０Ｄとは、製品の設計上における繊維配向性のことを示すものである。
【００３７】
この繊維集合体１１０ＧＦの繊維１１０ＳＦは、中央接合部１４０と溶着される端部である接続端部１１０ＳＦＡを有する。そして、繊維１１０ＳＦは、接続端部１１０ＳＦＡと反対側の端部である開放端部１１０ＳＦＢを有する。この開放端部１１０ＳＦＢは自由端とされる。
【００３８】
なお、図３において、繊維集合体１１０ＧＦは、三つの繊維層が積層して形成されているが、繊維層の数は必要に応じて１または複数とすることができる。この繊維集合体１１０ＧＦは、所定の平面や曲面による面構造を有するとともに、ある程度の厚みを有する立体形状として、或いは薄肉シート形状として構成されるのが好ましい。繊維集合体１１０ＧＦは、典型的にはポリエチレン（ＰＥ）、ポリプロピレン（ＰＰ）、ポリエチレンテレフタレート（ＰＥＴ）、ナイロン、レーヨンなどを材質とし、実用上はトウを開繊することによって得られる長繊維（フィラメント）の集合体が用いられることが好ましい。特には、芯部分がポリプロピレン（ＰＰ）或いはポリエチレンテレフタレート（ＰＥＴ）であり、この芯部分の外面を覆う鞘部分がポリエチレン（ＰＥ）の複合繊維を用いて繊維集合体１１０ＧＦが構成されるのが好ましい。また、この繊維集合体１１０ＧＦを形成する繊維の繊度１１０ＳＦは、１〜５０ｄｔｅｘのものが好ましく、更には２〜１０ｄｔｅｘのものが好ましい。また、各繊維集合体は概ね同様の繊度の繊維から構成されてもよいし、或いは各繊維集合体が異なる繊度の繊維を含む構成であってもよい。
【００３９】
また、清掃時の汚れ捕集機能を向上させるために、繊維集合体１１０ＧＦには、油剤が供給される。この油剤は、流動パラフィンを主成分とする。
また、清掃時の掃き出し機能を向上させるためには、剛性の高い繊維１１０ＳＦ、すなわち繊度が高い繊維１１０ＳＦを含む繊維集合体１１０ＧＦを用いるのが好ましい。また、繊維集合体１１０ＧＦは、捲縮繊維を有する構成されるのが好ましい。ここでいう捲縮繊維は、周知の捲縮処理が付与された繊維として構成され、繊維同士が絡み易い構造とされる。このような捲縮繊維を用いると、繊維集合体１１０ＧＦが清掃体ホルダ２００装着前の状態よりも嵩高となり、更に捲縮部分にごみを取り込み易い構造とされる。本構造は、特にトウ繊維から形成された捲縮繊維を用いることによって実現され得る。
【００４０】
図５に示すように、第２のシート体１２２は、長手方向Ｙにおいて、基部１２０よりも短い長方形状の不織布で形成されたシートである。
基部１２０（第１のシート体１２１）および第２のシート体１２２を構成する不織布は、いずれも典型的には熱溶融性繊維（熱可塑性繊維）からなるシート状の不織布が使用されている。すなわち、これら基部１２０および第２のシート体１２２は、「不織布シート」とも称呼される。なお、清掃時の掃き出し機能を向上させるためには、剛性の高い不織布を用いるのが好ましい。
なお、この不織布は、ポリエチレン（ＰＥ）、ポリプロピレン（ＰＰ）、ポリエチレンテレフタレート（ＰＥＴ）等の合成繊維が使用される。また、不織布の形態としては、エアースルー法や、スパンボンド法により形成されたものが使用される。
一方、不織布以外であっても、布帛や、合成樹脂によるフィルム体などを使用することもできる。
【００４１】
基部１２０と第２のシート体１２２は、清掃体１００の長手方向中心線ＹＣＬに沿って延在する中央接合部１４０と、中央接合部１４０の両側に位置する複数の第１の接合部１４１にて溶着接合されている。すなわち、図７に示すように、基部１２０と、第２のシート体１２２と、繊維集合体１１０ＧＦとが、中央接合部１４０において溶着接合されている。また、基部１２０と、第２のシート体１２２と、一部の繊維集合体１１０ＧＦとが第１の接合部１４１において溶着接合されている。なお、長手方向Ｙにおける両端側に位置する第１の接合部１４１は第２のシート体１２２が存在しない位置に形成されている。よって、長手方向Ｙにおける両端側に位置する第１の接合部１４１は、基部１２０と、一部の繊維集合体１１０ＧＦのみを接合する。
【００４２】
中央接合部１４０と、第１の接合部１４１に挟まれた領域の内、基部１２０と第２のシート体１２２の間には、長手方向Ｙに延在する一対の保持空間１３０が形成されている。また、保持空間１３０における長手方向Ｙの両端には、開口１３１それぞれが形成されている。この保持空間１３０が、本発明における「挿入部」の一例である。
なお、換言すると、保持空間１３０は、長手交差方向Ｘにおける一対の第１の接合部１４１同士の間における基部１２０の所定領域と、第２のシート体１２２の所定領域とにより形成される。
【００４３】
第１の接合部１４１は、長手方向Ｙに概ね沿って複数連続して形成される。一方、長手方向Ｙにおいて隣接する第１の溶着接合部１４１が、必ず長手方向Ｙに一致して配置される必要はない。第１の溶着接合部１４１の配置形態は、デザイン性や、清掃体保持部２２０の形状によって、適宜設計することが可能である。この際、第１の溶着接合部１４１を連続した線状にて形成することができるのは勿論である。
【００４４】
なお、上述した中央接合部１４０、第１の接合部１４１は、熱による溶着により形成されている。
一方、本発明に係る接合部は、超音波溶着、縫製、ホットメルト接着剤などによる粘着剤にて形成することも可能である。
【００４５】
清掃体１００は、短冊片１５０を有する。短冊片１５０は、基部１２０における長手交差方向Ｘ上の端部に設けられた複数の切込み線の間に形成された短冊片１２１Ｓと、第２のシート体１２２における長手交差方法Ｘ上の端部に設けられた複数の切込み線の間に形成された短冊片１２２Ｓとからなる。なお、基部１２０および第２のシート体１２２における切込み線は、ジグザグ状とされる。短冊片１５０をジクザグ状とすることによって、ごみを引っ掛けて捕捉し易い清掃機能の高い構造が実現される。なお、短冊片の形状に関しては、ジクザグ状、直線状、曲線状などのうちの単一種類或いは複数種類の形状を適宜用いることができる。
【００４６】
なお、本発明に係る短冊片１５０は、繊維集合体１１０ＧＦとともに刷毛部１１０を形成する。短冊片１５０としては、基部１２０の短冊片１２１Ｓもしくは第２のシート１２２の短冊片１２２Ｓのいずれか一方でも良い。すなわち、短冊片１５０は、清掃体１００を形成するためのいずれかのシート状体に形成されていれば足りるものである。この意味において、短冊片１５０を形成するための切込みは、切込み部１５０Ａと称する。
この短冊片１５０が、本発明に係る「短冊片」の一例である。
【００４７】
短冊片１５０の具体的な構成を、図５〜図７に基づき説明する。なお、図６および図７においては、便宜上、切込み部１５０Ａを直線状として記載する。
短冊片１５０は、第１の短冊片１５１と、第１の短冊片１５１よりも高い剛性を有する第２の短冊片１５２とを有する。なお、本発明に係る実施形態においては、第２の短冊片１５２には熱エンボス加工が施されている。
具体的には、第１の短冊片１５１の剛性は５１．２（ｍｍ／２５ｍｍ）であり、第２の短冊片１５２の剛性は６７．６（ｍｍ／２５ｍｍ）である。なお、この剛性の測定は、ＪＩＳ／Ｌ１０９６のカンチレバー法で測定した。
第２の短冊片１５２は、清掃対象の塵芥を掻き出し可能な掻き出し部１５２Ａを有する。
この第１の短冊片１５１が、本発明に係る「第１の短冊片」の一例である。この第２の短冊片１５２が、本発明に係る「第２の短冊片」の一例である。この掻き出し部１５２Ａが、本発明に係る「掻き出し部」の一例である。
【００４８】
第２の短冊片１５２は、高剛性領域１５２Ｂを有する。この高剛性領域１５２Ｂは、第２の短冊片１５２に対し、剛性を向上させるために付された構成である。本実施形態における第２の短冊片１５２は、上述した熱エンボス加工により高剛性領域１５２Ｂが形成されている。また、高剛性領域１５２Ｂは、その他の構成によっても達成される。具体的には、第２の短冊片１５２に対し、ホットメルト型接着剤を含浸させることにより形成される。また、第２の短冊片１５２に対し、不織布を貼りつけることや、熱溶融加工を行うことなどを適宜選択することができる。
この高剛性領域１５２Ｂが、本発明に係る「高剛性領域」の一例である。
【００４９】
短冊片１５０は、短冊片１５０が延びる方向によって規定される短冊片長手方向１５０Ｙと、短冊片長手方向１５０Ｙと交差する方向によって規定される短冊片長手交差方向１５０Ｘの双方に延在するように構成されている。この短冊片長手方向１５０Ｙが、本発明に係る「短冊片長手方向」の一例である。この短冊片長手交差方向１５０Ｘが、本発明に係る「短冊片長手交差方向」の一例である。
第１の短冊片１５１は、短冊片長手方向１５０Ｙ上の端部である端部１５１Ｙと、短冊片長手交差方向Ｘ上の端部である端部１５１Ｘを有する。第２の短冊片１５２は、短冊片長手方向１５０Ｙ上の端部である端部１５２Ｙと、短冊片長手交差方向Ｘ上の端部である端部１５２Ｘを有する。
そして、高剛性領域１５２Ａは、短冊片長手方向１５０Ｙに延びるように形成されている。この結果、第２の短冊片１５２が、その短冊片長手方向Ｙに対して強化される。
【００５０】
なお、掻き出し部１５２Ａは、高剛性領域１５２Ｂの端部に設けられる。
すなわち、図６においては、高剛性領域１５２Ｂは、第２の短冊片１５２の全体に亘って設けられている。このような場合は、掻き出し部１５２Ａは、第２の短冊片１５２の端部１５２Ｘ、端部１５２Ｙと一致する。
一方、図７においては、高剛性領域１５２Ｂは、第２の短冊片１５２の一部の領域に設けられる。このような場合、掻き出し部１５２Ａは、第２の短冊片１５２の領域上における高剛性領域１５２Ｂの端部に設けられる。
【００５１】
なお、清掃体１００においては、第１の短冊片１５１と、第２の短冊片１５２は、清掃体１００における清掃体長手交差方向Ｘ上の端部１００Ａに設けられている。
また、第１の短冊片１５１と前記第２の短冊片１５２とは、交互に配置されている。
【００５２】
（清掃体ホルダと清掃体の係合）
次に図９、図１０を参照しつつ、清掃体ホルダ２００と清掃体１００の係合について説明する。図９に示すように、保持部材２２１はそれぞれ、保持空間１３０に挿入が可能とされている。保持部材２２１が挿入方向Ｙ１に沿って保持空間１３０に挿入されることで、清掃体１００が清掃体ホルダ２００に保持される。一方、係合している清掃体ホルダ２００と清掃体１００とを分離するためには、清掃体ホルダ２００を、引抜方向Ｙ２に沿って保持空間１３０から引き抜く。
【００５３】
清掃体ホルダ２００と清掃体１００の係合状態においては、凸部２６０は、隣接する第１の接合部１４１同士の間に配置される。これにより、清掃体ホルダ２００と清掃体１００の係合状態が確実に維持される。
また、押え板２７０は、保持部材２２１とともに第２のシート体１２２を挟持する。
【００５４】
（作用）
次に、本発明に係る清掃用具Ａの作用につき、図１１に基づき説明する。なお、図１１においては、便宜上、切込み部１５０Ａを直線として記載する。
ユーザが、清掃体１００の長手交差方向Ｘ上の端部１００Ａを清掃対象に当接させる。すると、第２の短冊片１５２の掻き出し部１５２Ａが、清掃対象に当接する。この状態で、ユーザが清掃用具Ａの操作を継続することにより、塵芥が掻き出し部１５２Ａにより掻き出される。この際、第２の短冊片１５２は高剛性領域１５２Ｂを有しているため、掻き出し作業に大きく支障を来すような変形をしない。この状態で、ユーザがさらに清掃用具Ａの操作を継続すると、第１の短冊片１５１が清掃対象に当接し、変形される。さらにユーザが清掃用具Ａの操作を継続すると、他の第２の短冊片１５２が清掃対象に当接する。このように、第１の短冊片１５１と第２の短冊片１５２が交互に形成されているため、複数の第２の短冊片１５２を連続して清掃対象に当接させることができる。なお、掻き出された塵芥は、繊維集合体１１０ＧＦにより捕捉される。
よって、本発明に係る清掃用具Ａにおいては、塵芥を効率的に掻き出すことが可能となる。従って、本発明に係る清掃用具Ａは、清掃効率を向上させることができる。
【００５５】
なお、本発明は上記の実施の形態のみに限定されるものではなく、種々の応用や変形が考えられる。例えば、上述した実施形態における清掃用具Ａにおいては、保持具２００の保持部材２１１が二つ形成されており、それに対応して清掃体１００の保持空間１３０も二つ形成されている。一方、二つの保持部材２１１に対し、単一の保持空間１３０を設けることもできる。さらに、単一の保持部材２１１に対し、単一の保持空間１３０を設けることもできる。
【００５６】
以下、上記実施形態の変形例につき説明を行うが、上記実施形態における清掃用具Ａと同一の構成にあっては、同一の符号を付すとともにその説明を省略する。
【００５７】
（第１の変形例）
図１２に基づき第１の変形例を説明する。なお、第１の変形例に係る清掃体１０１は、上述の実施形態における清掃体１００に比して、保持空間１３０の構成が異なるものである。
すなわち、第１の変形例に係る清掃体１０１の保持空間１３０は、基部１２０を構成する第１のシート体１２１のみにて形成される。すなわち、第１のシート体１２１における所定の面同士を当接させ、接合シート領域１２１Ａを形成する。この接合シート領域１２１Ａにおける所定領域を溶着し、第２の接合部１４２を形成する。
これにより、長手方向Ｙに延びる空間である、保持空間１３０を形成することができる。
なお、この第１の変形例の場合、中央接合部１４０は、刷毛部１１０のみを接合することができる。この場合、刷毛部１１０と基部１２０とは、接着剤（図示せず）などにより接合することができる。
この第１の変形例に係る清掃体１０１であっても、第１の短冊片１５１と第２の短冊片１５２が形成されるため、上述の実施形態における清掃体１００と同様の作用および効果を奏する。
【００５８】
（第２の変形例）
図１３に基づき第２の変形例を説明する。なお、第２の変形例に係る清掃体１０２は、上述の実施形態における清掃体１００に比して、保持空間１３０の構成が異なるものである。
すなわち、第２の変形例に係る清掃体１０２の保持空間１３０は、基部１２０とは独立して形成される。第３のシート体１２３と、第４のシート体１２４を重ねる。そして、第３のシート１２３と第４のシート１２４における長手交差方向Ｘ上の両端部近傍の領域を、長手方向Ｙ方向に沿って溶着し、第４の接合部１４４を形成する。
これにより、第３のシート１２３と第４のシート１２４との間に、長手方向Ｙに延びる空間である、保持空間１３０を形成することができる。
なお、この第２の変形例の場合、中央接合部１４０は、刷毛部１１０と基部１２０のみを接合する。第３のシート１２３は、接着剤などにより基部１２０と接合され、第５の接合部１４５を形成する。
この第２の変形例に係る清掃体１０１であっても、第１の短冊片１５１と第２の短冊片１５２が形成されるため、上述の実施形態における清掃体１００と同様の作用および効果を奏する。
【００５９】
（第３の変形例）
図１４に基づき第３の変形例を説明する。なお、第３の変形例に係る清掃体１０３は、上述の実施形態における清掃体１００に比して、保持空間１３０の構成が異なるものである。
すなわち、第３の変形例に係る清掃体１０３の保持空間１３０は、基部１２０とは独立して形成される。すなわち、第５のシート体１２５における所定の面同士を当接させ、接合シート領域１２５Ａを形成する。この接合シート領域１２５Ａにおける所定領域を溶着し、第６の接合部１４６を形成する。これにより、長手方向Ｙに延びる空間である、保持空間１３０を形成することができる。
なお、この第３の変形例の場合、中央接合部１４０は、刷毛部１１０と基部１２０のみを接合する。第５のシート１２５は、接着剤などにより基部１２０と接合され、第７の接合部１４７を形成する。
この第３の変形例に係る清掃体１０３であっても、第１の短冊片１５１と第２の短冊片１５２が形成されるため、上述の実施形態における清掃体１００と同様の作用および効果を奏する。
【００６０】
（第４の変形例）
図１５に基づき第４の変形例を説明する。なお、第４の変形例に係る清掃体１０４は、上述の実施形態における清掃体１００に比して、基部１２０の一方の面１２０Ｃ側だけではなく、他方の面１２０Ｄ側にも刷毛部１１０が形成されているものである。
すなわち、基部１２０の一方の面１２０Ｃ側には繊維集合体１１０ＧＦが重ねられる。基部１２０の他方面１２０Ｄには、第２のシート１２２と、繊維集合体１１０ＧＦが重ねられる。すなわち、２つの繊維集合体１１０ＧＦの間に、基部１２０と第２のシート体１２２が挟持された積層体となる。この積層体において、基部１２０および第２のシート体１２２における長手交差方向Ｘ上の端部領域が溶着され、一対の第８の接合部１４８を形成する。さらに、一対の第８の接合部１４８の間における領域において、積層体が溶着され、第９の接合部１４９を形成する。このようにして、清掃体１０４が形成される。
この第４の変形例に係る清掃体１０４であっても、第１の短冊片１５１と第２の短冊片１５２が形成されるため、上述の実施形態における清掃体１００と同様の作用および効果を奏する。
さらに、基部１２０の他方の面１２０Ｄ側にも刷毛部１１０が形成されているため、ユーザの利便性が向上する。
【００６１】
（第５の変形例）
図１６に基づき第５の変形例を説明する。なお、第５の変形例に係る清掃体１０５は、上述の第１の変形例における清掃体１０１に比して、基部１２０の一方の面１２０Ｃ側だけではなく、他方の面１２０Ｄ側にも刷毛部１１０が形成されているものである。
すなわち、保持空間１３０を形成する第１のシート体１２１に、繊維集合体１１０ＧＦが接合されるものである。基部１２０の他方の面１２０Ｄ側の繊維集合体１１０ＧＦは、中央領域において溶着される。この中央領域における溶着箇所は、第１０の接合部１４１０を形成する。この第１０の接合部１４１０を有する繊維集合体１１０ＧＦは、図示しない接着剤などにより、保持空間１３０を形成する第１のシート体１２１に接合する。このようにして、清掃体１０５が形成される。
この第５の変形例に係る清掃体１０５であっても、第１の短冊片１５１と第２の短冊片１５２が形成されるため、上述の実施形態における清掃体１００と同様の作用および効果を奏する。
さらに、基部１２０の他方の面１２０Ｄ側にも刷毛部１１０が形成されているため、上述の第１の変形例に係る清掃体１０１よりも、ユーザの利便性が向上する。
【００６２】
（第６の変形例）
図１７に基づき第６の変形例を説明する。なお、第６の変形例に係る清掃体１０６は、上述の第２の変形例における清掃体１０２に比して、基部１２０の一方の面１２０Ｃ側だけではなく、他方の面１２０Ｄ側にも刷毛部１１０が形成されているものである。
すなわち、繊維集合体１１０と、第６のシート体１２６とを中央領域において溶着し、第１１の接合部１４１１を形成する。そして、第６のシート体１２６における繊維集合体１１０が配置されていない面と、第４のシート体１２４とを接着剤などにより接合し、第１２の接合部１４１２を形成する。このようにして、清掃体１０６が形成される。
この第６の変形例に係る清掃体１０６であっても、第１の短冊片１５１と第２の短冊片１５２が形成されるため、上述の実施形態における清掃体１００と同様の作用および効果を奏する。
さらに、基部１２０の他方の面１２０Ｄ側にも刷毛部１１０が形成されているため、上述の第２の変形例に係る清掃体１０２よりも、ユーザの利便性が向上する。
【００６３】
（第７の変形例）
図１８に基づき第７の変形例を説明する。なお、第７の変形例に係る清掃体１０７は、上述の第３の変形例における清掃体１０３に比して、基部１２０の一方の面１２０Ｃ側だけではなく、他方の面１２０Ｄ側にも刷毛部１１０が形成されているものである。
すなわち、繊維集合体１１０と、第７のシート体１２７とを中央領域において溶着し、第１３の接合部１４１３を形成する。そして、第７のシート体１２７における繊維集合体１１０が配置されていない面と、第５のシート体１２５とを接着剤などにより接合し、第１４の接合部１４１４を形成する。このようにして、清掃体１０７が形成される。
この第７の変形例に係る清掃体１０７であっても、第１の短冊片１５１と第２の短冊片１５２が形成されるため、上述の実施形態における清掃体１００と同様の作用および効果を奏する。
さらに、基部１２０の他方の面１２０Ｄ側にも刷毛部１１０が形成されているため、上述の第３の変形例に係る清掃体１０３よりも、ユーザの利便性が向上する。
【００６４】
（第８の変形例）
図１９に基づき第８の変形例を説明する。なお、第８の変形例に係る清掃体１０８は、上述の実施形態における清掃体１００に比して、清掃体長手交差方向Ｘ上の端部１００Ａにおける中央領域１００ＡＣに第２の短冊片１５２が形成されているものである。この際、第１の短冊片１５１は、清掃体長手交差方向端部１００Ａと、清掃体長手方向端部１００Ｂとが交差する領域に配置される。
この第８の変形例に係る清掃体１０８であっても、第１の短冊片１５１と第２の短冊片１５２が形成されるため、上述の実施形態における清掃体１００と基本的には同様の作用および効果を奏する。一方、第８の変形例に係る清掃体１０８は、実施形態に係る清掃体１００に比して第２の短冊片１５２の配置位置が異なる。よって、特定の清掃対象に対しては、実施形態に係る清掃体１００よりも清掃効率を向上させることが可能となる。
【００６５】
（第９の変形例）
図２０に基づき第９の変形例を説明する。なお、第９の変形例に係る清掃体１０９は、上述の実施形態における清掃体１００に比して、清掃体長手交差方向Ｘ上の端部１００Ａにおける中央領域１００ＡＣに第１の短冊片１５１が形成されているものである。この際、第２の短冊片１５２は、清掃体長手交差方向端部１００Ａと、清掃体長手方向端部１００Ｂとが交差する領域に配置される。
この第９の変形例に係る清掃体１０９であっても、第１の短冊片１５１と第２の短冊片１５２が形成されるため、上述の実施形態における清掃体１００と基本的には同様の作用および効果を奏する。一方、第９の変形例に係る清掃体１０９は、実施形態に係る清掃体１００に比して第２の短冊片１５２の配置位置が異なる。よって、特定の清掃対象に対しては、実施形態に係る清掃体１００よりも清掃効率を向上させることが可能となる。
【００６６】
なお、短冊片１５０は、清掃体における清掃体長手方向Ｙ上の端部１００Ｂにも設けることができる。以下、図２１〜図２３に基づき、清掃体における清掃体長手方向上の端部１００Ｂに短冊片１５０を設けた変形例を説明する。なお、この図２１〜図２３に係る変形例においては、便宜上、清掃体長手交差方向Ｘ上の端部１００Ａにおける短冊片１５０につき詳細な説明を省略する。一方、図２１〜図２３に係る変形例においても、清掃体長手交差方向Ｘ上の端部１００Ａの短冊片１５０に対し、第１の短冊片１５１と第２の短冊片１５２を設けることができるのは勿論である。
【００６７】
（第１０の変形例）
図２１に基づき第１０の変形例を説明する。なお、第１０の変形例に係る清掃体１１０は、上述の実施形態における清掃体１００に比して、清掃体長手方向Ｙ上の端部１００Ｂに、第１の短冊片１５１と第２の短冊片１５２とが交互に配置されているものである。
この第１０の変形例に係る清掃体１１０であっても、第１の短冊片１５１と第２の短冊片１５２が形成されるため、上述の実施形態における清掃体１００と基本的には同様の作用および効果を奏する。一方、第１０の変形例に係る清掃体１１０は、実施形態に係る清掃体１００に比して第２の短冊片１５２の配置位置が異なる。よって、特定の清掃対象に対しては、実施形態に係る清掃体１００よりも清掃効率を向上させることが可能となる。
【００６８】
（第１１の変形例）
図２２に基づき第１１の変形例を説明する。なお、第１１の変形例に係る清掃体１１１は、上述の実施形態における清掃体１００に比して、清掃体長手方向Ｙ上の端部１００Ｂにおける中央領域１００ＢＣに第２の短冊片１５２が形成されているものである。この際、第１の短冊片１５１は、清掃体長手交差方向端部１００Ａと、清掃体長手方向端部１００Ｂとが交差する領域に配置される。
この第１１の変形例に係る清掃体１１１であっても、第１の短冊片１５１と第２の短冊片１５２が形成されるため、上述の実施形態における清掃体１００と基本的には同様の作用および効果を奏する。一方、第１１の変形例に係る清掃体１１１は、実施形態に係る清掃体１００に比して第２の短冊片１５２の配置位置が異なる。よって、特定の清掃対象に対しては、実施形態に係る清掃体１００よりも清掃効率を向上させることが可能となる。
【００６９】
（第１２の変形例）
図２３に基づき第１２の変形例を説明する。なお、第１２の変形例に係る清掃体１１２は、上述の実施形態における清掃体１００に比して、清掃体長手方向Ｙ上の端部１００Ｂにおける中央領域１００ＢＣに第１の短冊片１５１が形成されているものである。この際、第２の短冊片１５２は、清掃体長手交差方向端部１００Ａと、清掃体長手方向端部１００Ｂとが交差する領域に配置される。
この第１２の変形例に係る清掃体１１２であっても、第１の短冊片１５１と第２の短冊片１５２が形成されるため、上述の実施形態における清掃体１００と基本的には同様の作用および効果を奏する。一方、第１２の変形例に係る清掃体１１２は、実施形態に係る清掃体１００に比して第２の短冊片１５２の配置位置が異なる。よって、特定の清掃対象に対しては、実施形態に係る清掃体１００よりも清掃効率を向上させることが可能となる。
【００７０】
なお、本発明の実施形態および変形例は、上述したものに限るものではない。上述した実施形態や各変形例に係る構成を適宜組み合わせることが可能である。また、さらなる形態を追加・変更することが可能である。
【００７１】
（実施の形態ないし実施例本発明の各構成要素の対応について）
清掃具Ａは、本発明に係る「清掃具」の一例である。清掃体１００、１０１、１０２、１０３、１０４、１０５、１０６、１０７、１０８、１０９、１１０、１１１、１１２は、本発明に係る「清掃シート」の一例である。清掃体ホルダ２００は、本発明に係る「保持具」の一例である。清掃体長手方向Ｙは、本発明に係る「清掃シート長手方向」の一例である。清掃体長手交差方向Ｘは、本発明に係る「清掃シート長手交差方向」の一例である。清掃体保持部２２０は、本発明に係る「保持部」の一例である。ハンドル部２１０は、本発明に係る「把持部」の一例である。刷毛部１１０は、本発明に係る「刷毛部」の一例である。基部１２０は、本発明に係る「基部」の一例である。保持空間１３０は、本発明に係る「挿入部」の一例である。短冊片１５０は、本発明に係る「短冊片」の一例である。第１の短冊片１５１は、本発明に係る「第１の短冊片」の一例である。第２の短冊片１５２は、本発明に係る「第２の短冊片」の一例である。掻き出し部１５２Ａは、本発明に係る「掻き出し部」の一例である。高剛性領域１５２Ｂは、本発明に係る「高剛性領域」の一例である。短冊片長手方向１５０Ｙは、本発明に係る「短冊片長手方向」の一例である。短冊片長手交差方向１５０Ｘは、本発明に係る「短冊片長手交差方向」の一例である。
第１のシート１２１は、本発明に係る「第１のシート体」の一例である。第２のシート体１２２は、本発明に係る「第２のシート体」の一例である。第３のシート体１２３は、本発明に係る「第３のシート体」の一例である。第４のシート体１２４は、本発明に係る「第４のシート体」の一例である。第５のシート体１２５は、本発明に係る「第５のシート体」の一例である。一方の面１２０Ａは、本発明に係る「一方の側」の一例である。他方の面１２０Ｄは、本発明に係る「他方の側」の一例である。
【００７２】
以上の発明の趣旨に鑑み、本発明に係る清掃具は、下記の態様が構成可能である。
（態様１）
清掃シートと、前記清掃シートを保持する保持具とを有する清掃具において、
前記清掃シートは、当該清掃シートに前記保持具を挿入する方向によって規定される清掃シート長手方向と、当該清掃シート長手方向と交差する方向によって規定される清掃シート長手交差方向の双方に延在するように構成され、
前記保持具は、前記清掃シートを保持するための保持部と、前記保持部に連結されてユーザに把持される把持部とを有し、
前記清掃シートは、清掃対象を清掃可能に構成された刷毛部と、前記刷毛部が接続される基部と、当該基部に形成されて、前記保持部が挿入される挿入部とを有し、
前記刷毛部は、短冊状のシートにより形成される複数の短冊片を有し、
当該短冊片は、第１の短冊片と、当該第１の短冊片よりも高い剛性を有する第２の短冊片とを有し、
当該第２の短冊片は、前記清掃対象の塵芥を掻き出し可能な掻き出し部を有することを特徴とする清掃具。
（態様２）
態様１に記載された清掃具において、
前記第２の短冊片は、高剛性領域を有することを特徴とする清掃具。
（態様３）
態様２に記載された清掃具において、
前記短冊片は、当該短冊片が延びる方向によって規定される短冊片長手方向と、当該短冊片長手方向と交差する方向によって規定される短冊片長手交差方向の双方に延在するように構成され、
前記高剛性領域は、前記短冊片長手方向に延びるように形成されていることを特徴とする清掃具。
（態様４）
態様１〜３のいずれか１項に記載された清掃具において、
前記第２の短冊片は、前記清掃シート長手方向上の端部領域に設けられていることを特徴とする清掃具。
（態様５）
態様１〜３のいずれか１項に記載された清掃具において、
前記前記第２の短冊片は、前記清掃シート長手方向上の中央領域に設けられていることを特徴とする清掃具。
（態様６）
態様１〜３のいずれか１項に記載された清掃具において、
前記第２の短冊片は、前記清掃シート長手交差方向上の端部領域に設けられていることを特徴とする清掃具。
（態様７）
態様１〜３のいずれか１項に記載された清掃具において、
前記第２の短冊片は、前記清掃シート長手交差方向上の中央領域に設けられていることを特徴とする清掃具。
（態様８）
態様１〜７のいずれか１項に記載された清掃具において、
前記第１の短冊片と前記第２の短冊片とは、交互に配置されていることを特徴とする清掃具。
（態様９）
態様１〜８のいずれか１項に記載された清掃具において、
前記基部は、第１のシート体により形成されていることを特徴とする清掃具。
（態様１０）
態様９に記載された清掃具において、
前記基部は、前記第１のシート体の端部に設けられた複数の切込み部を有し、
前記短冊片は、前記複数の切込み部同士の間に形成されることを特徴とする清掃具。
（態様１１）
態様９または１０のいずれか１項に記載された清掃具において、
前記第１のシート体と重ねられる第２のシート体を有し、
前記挿入部は、前記第１のシート体と、前記第２とシート体との間に形成されることを特徴とする清掃具。
（態様１２）
態様９または１０のいずれか１項に記載された清掃具において、
前記挿入部は、前記第１のシート体における所定の面同士を当接させ接合シート領域を形成するとともに、当該接合シート領域における前記所定の面同士を接合することにより形成されていることを特徴とする清掃具。
（態様１３）
態様９または１０のいずれか１項に記載された清掃具において、
前記第１のシート体に重ねられる第３のシート体と、当該第３のシート体に重ねられる第４のシート体とを有し、
前記挿入部は、前記第３のシート体と、前記第４とシート体との間に形成されることを特徴とする清掃具。
（態様１４）
態様９または１０のいずれか１項に記載された清掃具において、
前記第１のシート体に重ねられる第５のシート体を有し、
前記挿入部は、前記第５のシート体における所定の面同士を当接させ接合シート領域を形成するとともに、当該接合シート領域における前記所定の面同士を接合することにより形成されていることを特徴とする清掃具。
（態様１５）
態様１〜１４のいずれか１項に記載された清掃具において、
前記刷毛部は、前記基部の一方の側に設けられていることを特徴とする清掃具。
（態様１６）
態様１〜１４のいずれか１項に記載された清掃具において、
前記刷毛部は、前記基部の一方の側および他方の側に設けられていることを特徴とする清掃具。
（態様１７）
態様１〜１６のいずれか１項に記載された清掃具において、
前記掻き出し部は、前記高剛性領域の端部に設けられることを特徴とする清掃具。
（態様１８）
態様１〜１７のいずれか１項に記載された清掃具において、
前記第２の短冊片は、前記清掃体の清掃体長手交差方向上の端部と、前記清掃体の前記清掃体長手方向端部とが交差する領域に配置されることを特徴とする清掃具。
【符号の説明】
【００７３】
Ａ  清掃具
１００、１０１、１０２、１０３、１０４、１０５、１０６、１０７、１０８、１０９、１１０、１１１、１１２  清掃シート（清掃体）
１００Ｂ  端部
１００Ａ  端部
１００ＢＣ  中央領域
１００ＡＣ  中央領域
１１０  刷毛部
１１０ＧＦ  繊維集合体
１１０ＧＦ１  第１の繊維集合体
１１０ＧＦ２  第２の繊維集合体
１１０ＳＦ  繊維
１１０ＳＦＡ  接続端部
１１０ＳＦＢ  開放端部
１１０Ｄ  繊維配向方向
１１１  第１の刷毛部
１１２  第２の刷毛部
１１２Ａ  端部
１２０  基部
１２０Ａ  長手方向上の端部
１２０Ｂ  長手交差方向上の端部
１２０Ｃ  一方の面（一方の側）
１２０Ｄ  他方の面（他方の側）
１２１  第１のシート体
１２１Ａ  接合シート領域
１２１Ｓ  短冊片
１２２  第２のシート体
１２２Ｓ  短冊片
１２３  第３のシート体
１２４  第４のシート体
１２５  第５のシート体
１２６  第６のシート体
１２７  第７のシート体
１３０  挿入部
１３１  開口部
１４０  全層接合部
１４１  第１の接合部
１４２  第２の接合部
１４３  第３の接合部
１４４  第４の接合部
１４５  第５の接合部
１４６  第６の接合部
１４７  第７の接合部
１４８  第８の接合部
１４９  第９の接合部
１４１０  第１０の接合部
１４１１  第１１の接合部
１４１２  第１２の接合部
１４１３  第１３の接合部
１４１４  第１４の接合部
１５０  短冊片
１５０Ａ  切込み部
１５０Ｙ  短冊片長手方向
１５０Ｘ  短冊片長手交差方向
１５１  第１の短冊片
１５１Ｙ  端部
１５１Ｘ  端部
１５２  第２の短冊片
１５２Ａ  掻き出し部
１５２Ｂ  高剛性領域
１５２Ｙ  端部
１５２Ｘ  端部
２００  保持具（清掃体ホルダ）
２１０  ハンドル部（把持部）
２１１  ハンドル
２１２  ハンドル接合部
２２０  清掃体保持部（保持部）
２２１  保持部材
２３０  連接部
２４０  先端部
２５０  中間部
２６０  凸部
２６１  第１の凸部
２６２  第２の凸部
２７０  押え板
Ｙ  清掃体長手方向
Ｘ  清掃体長手交差方向
Ｚ  清掃シート厚み方向
【図１】
2014150975.tif 000003
【図２】
2014150975.tif 000004
【図３】
2014150975.tif 000005
【図４】
2014150975.tif 000006
【図５】
2014150975.tif 000007
【図６】
2014150975.tif 000008
【図７】
2014150975.tif 000009
【図８】
2014150975.tif 000010
【図９】
2014150975.tif 000011
【図１０】
2014150975.tif 000012
【図１１】
2014150975.tif 000013
【図１２】
2014150975.tif 000014
【図１３】
2014150975.tif 000015
【図１４】
2014150975.tif 000016
【図１５】
2014150975.tif 000017
【図１６】
2014150975.tif 000018
【図１７】
2014150975.tif 000019
【図１８】
2014150975.tif 000020
【図１９】
2014150975.tif 000021
【図２０】
2014150975.tif 000022
【図２１】
2014150975.tif 000023
【図２２】
2014150975.tif 000024
【図２３】
2014150975.tif 000025